(57)【要約】  透光性を有する医薬品容器１００の外周面１２ｒに貼り付けられる医薬品容器用ラベル１であって、医薬品容器１００の外周面１２ｒに対し非接着部２Ｂを形成する形で接着される遮光性を有した下層ラベル２と、非接着部２Ｂに接着する形で下層ラベル２の表面２ａに対し剥離可能に貼り付けられる上層ラベル３と、を備える。上層ラベル３を剥離する際には、非接着部２Ｂも一体となって剥離され、非接着部２Ｂの被覆領域が露出し、その露出した窓部１５から内容物が視認可能になる。これにより、ミシン目等の入光部を形成することなく、内容物を外から確認できる窓部を容易に形成可能な遮光性を有した医薬品容器用ラベル及びそのラベルが貼付された医薬品容器を提供する。
2019220840.tif 000002
【特許請求の範囲】
【請求項１】
透光性を有する医薬品容器の外周面に貼り付けられる医薬品容器用ラベルであって、
前記医薬品容器の外周面に対し所定領域に非接着部を形成する形で接着される遮光性を有した下層ラベルと、
少なくとも前記非接着部を被覆し、かつその非接着部と接着する形で前記下層ラベルの外表面に対し剥離可能に貼り付けられ、当該剥離の際には接着した前記非接着部と一体となって前記下層ラベルから剥離する上層ラベルと、
を備え、前記医薬品容器の外周面に前記下層ラベルが接着した状態で前記上層ラベルを剥離することにより、前記非接着部による前記医薬品容器の被覆領域が外部に露出し、その露出部から内容物が視認可能となることを特徴とする医薬品容器用ラベル。
【請求項２】
前記下層ラベルは、前記非接着部の外周縁周辺において前記露出部となる領域を取り囲む切り込み線を有し、前記上層ラベルはその切り込み線を被覆するよう前記下層ラベルの外表面に張り付けられている請求項１に記載の医薬品容器用ラベル。
【請求項３】
前記露出部は、前記医薬品容器を所定位置から側面視した際に、手前側に位置する容器外壁部の所定領域と、その所定領域の奥側に視認される容器外壁部の所定領域との双方に形成される請求項１又は請求項２に記載の医薬品容器用ラベル。
【請求項４】
請求項１ないし請求項３のいずれか１項に記載の医薬品容器用ラベルが貼付されたことを特徴とする医薬品容器。
【発明の詳細な説明】
【技術分野】
【０００１】
本発明は、医薬品容器用ラベル及びそのラベルが貼付された医薬品容器に関する。
【背景技術】
【０００２】
医薬品を収容する容器には、遮光性を有したラベルを貼付して内容物の光による変質を防ぐものがある。ところが、こうしたラベルは、金属箔や有色かつ半透明な素材で形成されるため、容器に貼付されることで内容物の色等の状態を外から正確に確認できなくなるという課題があった。【０００３】
これに対し、容器に貼付されたラベルの所定領域を切り離して窓部を形成し、その窓部から内容物を目視できるようにする技術がある（特許文献１）。しかしながら、こうしたラベルには、窓部を形成するための切り込み線としてミシン目等が予め形成されており、その部分が光の入光部となる恐れがあった。【０００４】
【特許文献１】特開２０１８−３０６２５号公報
【発明の開示】
【発明が解決しようとする課題】
【０００５】
本発明の課題は、ミシン目等の入光部を形成することなく、内容物を外から確認できる窓部を容易に形成可能な遮光性を有した医薬品容器用ラベル及びそのラベルが貼付された医薬品容器を提供することにある。
【課題を解決するための手段および発明の効果】
【０００６】
上記課題を解決するために本発明の医薬品容器用ラベルは、
透光性を有する医薬品容器の外周面に貼り付けられる医薬品容器用ラベルであって、
前記医薬品容器の外周面に対し所定領域に非接着部を形成する形で接着される遮光性を有した下層ラベルと、
少なくとも前記非接着部を被覆し、かつその非接着部と接着する形で前記下層ラベルの外表面に対し剥離可能に貼り付けられ、当該剥離の際には接着した前記非接着部と一体となって前記下層ラベルから剥離する上層ラベルと、
を備え、前記医薬品容器の外周面に前記下層ラベルが接着した状態で前記上層ラベルを剥離することにより、前記非接着部による前記医薬品容器の被覆領域が外部に露出し、その露出部から内容物が視認可能となることを特徴とする。
また、本発明の医薬品容器は、本発明の医薬品容器用ラベルが貼付されたことを特徴とする。
【０００７】
上記本発明によれば、下層ラベルの非接着部は、医薬品容器の外周面に接着されず、かつ上層ラベルに接着された状態にあるから、上層ラベルを剥離することで上層ラベルと一体に剥離される。一方で、下層ラベルの接着部は、医薬品容器の外周面に接着されたまま残る。このため、医薬品容器から上層ラベルを剥離させるだけで、下層ラベルの非接着部が覆っていた被覆領域が外部に露出し、内容物を目視確認できる窓部（露出部）になる。また、下層ラベルの非接着部を上層ラベルと一体に剥離するにあたって下層ラベルの非接着部が残余部からスムーズに切り離されるよう、下層ラベルにミシン目等の切り込み線を設ける場合、その切り込み線は非接着部内に形成されることになる。上記本発明によれば、上層ラベルは下層ラベルの非接着部を被覆した状態で接着されるから、非接着部内のどの位置に切り込み線が形成されても切り込み線は上層ラベルによって必ず被覆され、入光部とはならない。
【０００８】
上記本発明における前記下層ラベルは、前記非接着部の外周縁周辺において前記露出部となる領域を取り囲むミシン目等の切り込み線を有し、前記上層ラベルはその切り込み線を被覆するよう前記下層ラベルの外表面に貼り付けられるように構成できる。下層ラベルにミシン目等の切り込み線が形成されていることで、上層ラベルを剥離する際、非接着部の下層ラベルからの分離・切り離しがスムーズに進行する。一方で、下層ラベルに形成されたミシン目等の切り込み線は、上層ラベルに被覆された状態になるから、切り込み線からの入光を防ぐこともできる。
【０００９】
上記本発明の医薬品容器用ラベルによって医薬品容器に形成される前記露出部は、前記医薬品容器を所定位置から側面視した際に、手前側に位置する容器外壁部と、奥側に位置する容器外壁部との双方に形成されるようにできる。遮光性を有する下層ラベルが金属箔や有色かつ半透明な材料等で形成されている場合、手前側の容器外壁部に窓部（露出部）が形成されているだけでは、内容物の色が確認しにくい。例えば、下層ラベルが茶色系の半透明な材料で形成されていた場合、手前側の容器外壁部に窓部（露出部）が形成されているだけでは、内容物は、その奥側の容器外壁部に貼付されている下層ラベルの茶色系の色として見えるため、変色等の状態は確認しづらい。これに対し上記本発明によれば、手前側の容器外壁部とその奥側の容器外壁部との双方に窓部（露出部）が形成される。その結果、手前側と奥側との双方の容器外壁部に互いに同色で透明な窓部（露出部）が形成される。これにより、医薬品容器を手前側と奥側の窓部が前後で対向する位置で側面視することにより、容器本体の色の影響は受けるものの、遮光性を有した下層ラベルの色の影響を受けずに医薬品容器の内容物の状態変化を確認できる。仮に、医薬品容器の容器本体が無色透明であれば、その手前側と奥側との双方の容器外壁部に互いに無色透明な窓部（露出部）が形成されることで、下層ラベルの色に全く影響を受けることなく、医薬品容器の内容物そのものの色を確認できるから、変色などの状態変化の発生を確認しやすい。
【００１０】
なお、本発明において透光性を有するとは、全光線透過率が７０％以上（望ましくは８０％以上、より望ましくは９０％以上）であることをいう。また、本発明において遮光性を有するとは、所定期間において容器の内容物の変化が予め定められた基準レベル以下に抑えられるよう、特定の波長の光の侵入が抑制された状態のことをいう。必ずしも特定の波長の光が完全に遮断される必要は無い。したがって、本発明においては、透光性（透明）と遮光性との双方が両立しうる。また、本発明におけるラベルとは、容器に表示を一体化させる印刷物のことであり、タックラベルに限らず、シュリンクスリーブ（最下層が糊が付与されていない収縮フィルムで構成されたラベル）等も含まれる。
【図面の簡単な説明】
【００１１】
【図１】本発明の第一実施例をなす医薬品容器用ラベルの平面図。
【図２】図１の医薬品容器用ラベルが貼付される医薬品容器の容器本体を示した斜視図。
【図３】図１の医薬品容器用ラベルが貼付された医薬品容器の斜視図。
【図４】図３の医薬品容器の底面図。
【図５】図１の医薬品容器用ラベルを構成する下層ラベルの表面を示した図。
【図６】図１の医薬品容器用ラベルを構成する下層ラベルの裏面を示した図。
【図７】図１の医薬品容器用ラベルを構成する上層ラベルの表面を示した図。
【図８】図１の医薬品容器用ラベルを構成する上層ラベルの裏面を示した図。
【図９】図３の医薬品容器に貼付された医薬品容器用ラベルの上層ラベルを剥離した状態を示した斜視図。
【図１０】図１に示す医薬品容器用ラベルのＸ−Ｘ断面を、医薬品容器の容器本体に貼付した状態で示した断面図。
【図１１】図１０において上層ラベルを剥離した状態を示した断面図。
【図１２】本発明の第二実施例をなす医薬品容器用ラベルが貼付された医薬品容器において上層ラベルを剥離した状態を示した斜視図。
【図１３】図１２の医薬品容器用ラベルの平面図。
【図１４】図１３の医薬品容器用ラベルを構成する下層ラベルの裏面を示した図。
【図１５】図１３の医薬品容器用ラベルを構成する上層ラベルの裏面を示した図。
【図１６】本発明の第三実施例をなす医薬品容器用ラベルの平面図。
【図１７】図１６の医薬品容器用ラベルの裏面を示した図。
【図１８】図１６の医薬品容器用ラベルが貼付された医薬品容器においてその上下方向中央部を水平に切断した断面図。
【図１９】本発明の第四実施例をなす医薬品容器用ラベルの平面図。
【図２０】図１９の医薬品容器用ラベルを構成する下層ラベルの表面を示した図。
【図２１】図１９の医薬品容器用ラベルを構成する下層ラベルの裏面を示した図。
【図２２】図１９の医薬品容器用ラベルを構成する上層ラベルの表面を示した図。
【図２３】図１９の医薬品容器用ラベルを構成する上層ラベルの裏面を示した図。
【図２４】図１９の医薬品容器用ラベルが貼付された医薬品容器の斜視図。
【図２５】図２４の医薬品容器に貼付された医薬品容器用ラベルの上層ラベルを剥離した状態を示した斜視図。
【発明を実施するための形態】
【００１２】
以下、本発明の医薬品容器用ラベル及び医薬品容器の第一実施例を、図面を参照して説明する。
【００１３】
図１は、本実施例の医薬品容器用ラベル１であり、図２に示す医薬品容器１００の容器本体１０に対し貼付され、図３に示すような医薬品容器１００として使用される。容器本体１０は、透光性を有した容器であり、図２に示すように、上端の開口を有した筒状の胴部１２と、胴部１２と一体をなしてその下端を塞ぐ底部１３と、を有し、その外周面１２ｒに医薬品容器用ラベル１が貼付される。ここでの容器本体１０は無色透明なバイアル瓶であるが、本発明はこれに限るものではない。
【００１４】
図３の医薬品容器１００には、胴部１２の上側に、上端の開口を塞ぐように、遮光性を有した別体の蓋部１１が着脱可能に組み付いている。ここでの胴部１２は、図２に示すように、上側に径方向幅が狭くなる首部１２Ｎと、その首部１２Ｎの上側に首部１２Ｎよりも径方向幅が広がった筒状の胴部上端１２Ｌと、を有しており、蓋部１１は、その胴部上端１２Ｌに対し螺合する形で組み付けられる。なお、蓋部１１と胴部１２との組み付け方法については、他の方法であってもよい。
【００１５】
また、図３の医薬品容器１００には、図４に示すように、底部１３の底面１３ｂに遮光性を有した底面被覆部材４（ここでは底面用遮光ラベル）が配置される。医薬品容器用ラベル１は、医薬品容器１００の胴部１２の外周面１２ｒに対し接着するとともに、その底面被覆部材４の外周に対しても重なって接着している。なお、ここでの底面被覆部材４は、底面用遮光ラベルであるが、ラベルとは異なる部材でもよい。また、医薬品容器用ラベル１は、胴部１２に組み付いた蓋部１１に対しても、その外周面等に重なって接着してもよい。本実施例の医薬品容器１００は、医薬品容器用ラベル１と、底面被覆部材４と、蓋部１１とによって、内容物に向かう入光を妨げる遮光状態を形成している。
【００１６】
医薬品容器用ラベル１は、図５及び図６に示す下層ラベル２と、図７及び図８に示す上層ラベル３と、を有した二層構造のラベルである。
【００１７】
下層ラベル２は、遮光性を有した有色かつ半透明のラベルであり、医薬品容器１００（容器本体１０）の外周面１２ｒ（図２参照）に対し非接着部２Ｂ（図６参照）を形成する形で接着される。非接着部２Ｂは、下層ラベル２において医薬品容器１００の外周面１２ｒに対し接着されない、もしくは残余領域よりも弱い接着力で接着する部位である。そして、下層ラベル２においてこの非接着部２Ｂを除く残余部が、医薬品容器１００の外周面１２ｒに対し接着する接着部２Ａ（図６参照）である。ここでの下層ラベル２は、全体的に茶色の半透明ラベルであり、表面２ａの一部の印字部や印字領域において有色不透明とされている。下層ラベル２の接着部２Ａは、医薬品容器１００（容器本体１０）の首部１２Ｎ及びその周辺においても、その形に対応する形で接着している。
【００１８】
なお、下層ラベル２は、遮光性を有し、かつ透光性を有した、容器本体１０とは異なる色の半透明ラベルとしてもよい。また、下層ラベル２は、例えばアルミ蒸着により形成された金属被膜等の不透明ラベルでもよい。
【００１９】
上層ラベル３は、下層ラベル２の表面２ａに対し、少なくとも非接着部２Ｂと接着する形で剥離可能に貼り付けられる。具体的にいえば、上層ラベル３は、図５に示す下層ラベル２の表面２ａ上で、非接着部２Ｂとその外周側とを覆う形で、図１のように貼り付けられる。上層ラベル３は、図７に示すように、表面３ａに白色や青色などベタの背景色を有し、その背景色上に必要情報が印字された表示用ラベルである。
【００２０】
上層ラベル３は、図９に示すように、下層ラベル２から剥離可能である。この剥離の際、上層ラベル３は、下層ラベル２の非接着部２Ｂと一体となって下層ラベル２から剥離する。下層ラベル２の非接着部２Ｂは、医薬品容器１００（容器本体１０）に接着されず、かつ上層ラベル３に接着された状態となっているから、上層ラベル３を剥離することで、接着している上層ラベル３と一体に剥離していき、接着部２Ａを残して下層ラベル２から切り離される。これにより医薬品容器１００は、下層ラベル２の非接着部２Ｂに覆われていた被覆領域が外部に露出し、その露出部が内容物を目視確認可能な窓部１５となる。
【００２１】
さらに、この窓部１５（露出部）は、図９に示すように、医薬品容器１００を所定位置から所定方向Ｉに側面視した際に、手前側に位置する容器外壁部の所定領域１５Ｆと、その所定領域の奥側に視認される容器外壁部の所定領域１５Ｂとの双方に形成される。これにより、手前側と奥側の窓部１５（１５Ｆ、１５Ｂ）が前後で対向する位置で医薬品容器１００を側面視することにより、下層ラベル２の色に影響を受けることなく、医薬品容器の内容物の状態（例えば変色等）を正確に確認することができる。
【００２２】
ここでの窓部１５（露出部）は、医薬品容器１００（容器本体１０）の上下方向よりも周方向に長く形成されている。また、窓部１５（露出部）は、その周方向において、医薬品容器１００（容器本体１０）の外周長さの３分の１以上、より望ましくは半分以上（ここでは円筒状の胴部１２に対し１８０度以上の外周区間）に形成されている。
【００２３】
以下、本実施例の下層ラベル２と上層ラベル３とについて詳細に説明する。
【００２４】
下層ラベル２は、図１０に示すように、遮光性を有した有色（ここでは茶色）のかつ半透明なポリエチレンテレフタレート製のラベル基材２０と、ラベル基材２０の裏側全体に糊等の接着剤や粘着剤により形成される接着層２１と、を一体に有する。ただし、接着層２１は、所定領域において接着層２１の接着力を残余領域よりも低下させる、もしくは接着力を無くす所定の接着力低下処理が施された領域２Ｓ（接着力低下領域：図６の一点鎖線による斜線領域）を有する。ここでの接着力低下処理は、例えば周知の糊殺し処理等とすることができる。本実施例においては、下層ラベル２のこの領域２Ｓに対応する部分が非接着部２Ｂであり、残余領域に対応する部分が接着部２Ａである。これにより、非接着部２Ｂは、医薬品容器１００（容器本体１０）の外周面１２ｒに対し接着しない、もしくは接着部２Ａよりも医薬品容器１００（容器本体１０）の外周面１２ｒに接着しにくくされている。また、下層ラベル２は、表面２ａの所定領域に、上層ラベル３（接着層３１）と接着しにくくする所定の接着抑制処理が施された領域２Ｔ（接着抑制領域：図５の二点鎖線の枠内領域）を有する。ここでの接着抑制処理は、例えばニスの塗布等とすることができる。これにより、表面２ａに貼付される上層ラベル３の剥離を容易にしている。
【００２５】
上層ラベル３は、図１０に示すように、遮光性を有した有色（ここでは主に白色や青色の背景色）かつ不透明なポリプロピレン製のラベル基材３０と、ラベル基材３０の裏側全体に糊等の接着剤又は粘着剤により形成される接着層３１と、を一体に有する。ただし、接着層３１は、所定領域において接着力を残余領域よりも低下させる所定の接着力低下処理が施された領域３Ｕ（接着力低下領域：図８の一点鎖線による斜線領域）を有する。ここでの接着力低下処理は、例えば周知の糊殺し処理等とすることができる。これにより、下層ラベル２からの上層ラベル３の剥離を容易にしている。また、上層ラベル３は、図７及び図８に示すように、第一側（図中左側）の端部に、剥離を開始するためのつまみ部３Ｘを有している。
【００２６】
上層ラベル３は、図１及び図１０に示すように、下層ラベル２の一部領域に対し重畳する形で貼り付けられるとともに、その貼り付け状態において、図９及び図１１に示すように剥離することが可能とされている。このため、医薬品容器用ラベル１は、下層ラベル２と上層ラベル３とが重なる重畳部１Ｐと、重ならない非重畳部１Ｑを有する（図１及び図１０参照）。
【００２７】
重畳部１Ｐは、下層ラベル２の非接着部２Ｂと上層ラベル３とが接着する一体剥離部１ＰＹと、一体剥離部１ＰＹに対し第一側に形成され、上層ラベル３の剥離を開始するためのつまみ部３Ｘを有したつまみ形成部１ＰＸと、一体剥離部１ＰＹに対し第一側とは逆の第二側に形成され、上層ラベル３と下層ラベル２とが強く接着する強接着部１ＰＺと、を有する。
【００２８】
ここでの重畳部１Ｐは、上層ラベル３の長手方向（図１の左右方向）においてその第一側（図１左側）につまみ形成部１ＰＸが、その逆の第二側（図１右側）に強接着部１ＰＺが形成され、その長手方向が医薬品容器１００（容器本体１０）の周方向となるように形成されている。
【００２９】
一体剥離部１ＰＹは、その中央部において下層ラベル２の非接着部２Ｂが位置し、上層ラベル３と接着している。そして、その中央部を取り囲む外周部において、中央部よりも弱い接着力で上層ラベル３と下層ラベル２とが接着しており、上層ラベル３が下層ラベル２から剥離しやすくなっている。具体的にいえば、その外周部における上層ラベル３の接着層３１に上述の接着力低下処理（符号３Ｕ：図８参照）が施され、また、外周部における下層ラベル２の表面２ａに上述の接着抑制処理（符号２Ｔ：図５参照）が施されている。なお、これらの処理はいずれか一方とされてもよい。
【００３０】
つまみ形成部１ＰＸは、一体剥離部１ＰＹの第一側（図１左側）から連続しており、つまみ形成部１ＰＸの上記外周部と同様、接着力低下処理（符号３Ｕ：図８参照）と接着抑制処理（符号２Ｔ：図５参照）とのいずれか又は双方が施され、上層ラベル３と下層ラベル２とが弱い接着力で接着している。これにより、つまみ部３Ｘが容易に剥離し、上層ラベル３を剥離する際に指でつまみやすくなっている。
【００３１】
ただし、つまみ形成部１ＰＸは、部分的に上述の接着力低下処理及び接着抑制処理のいずれか又は双方が施されない部分強接着部（ここでは接着力低下処理のみが施されない）を有している。これにより、つまみ形成部１ＰＸは、つまみ部３Ｘが剥離した後に再接着が可能となっている。ここでのつまみ形成部１ＰＸには、上層ラベル３において接着力低下処理が施されない部分強接着部３ｘ（図８参照）が複数点在しており、それらが下層ラベル２に対しやや強く接着している。また、ここでのつまみ形成部１ＰＸは、下層ラベル２において接着抑制処理が施されない部分強接着部２ｘ（図５参照）を一体剥離部１ＰＹ側に有しており、上層ラベル３に対しこの部分強接着部２ｘがやや強く接着している。
【００３２】
強接着部１ＰＺは、一体剥離部１ＰＹの第二側（図１右側）から連続しており、接着力低下処理と接着抑制処理との双方が施されておらず、上層ラベル３（符号３ｚ：図８参照）と、下層ラベル２（符号２ｚ：図５参照）とが接着層３１のそのままの接着力で接着している。これにより、上層ラベル３がつまみ部３Ｘ側から剥離していく際にも剥離されず、上層ラベル３と下層ラベル２とをこの強接着部１ＰＺの部分で一体に保ち、つまみ部３Ｘ側を下層ラベル２の同位置で再接着させることを可能にしている。剥離により形成された目視確認用の窓部１５（露出部：図９参照）は、この再接着によって下層ラベル２の非接着部２Ｂにより覆われて再び遮光状態に戻すことができる。
【００３３】
また、一体剥離部１ＰＹでは、図５、図６及び図１０に示すように、下層ラベル２の非接着部２Ｂの外周縁内側に、目視確認用の窓部１５（露出部）となる領域を取り囲む形で切り込み線２ｋ（ここではミシン目）が形成されている。これにより、下層ラベル２から上層ラベル３を剥離する際に、非接着部２Ｂが切り込み線２ｋに沿って切り離されるから、下層ラベル２からの分離がスムーズに進行する。他方、上層ラベル３は、その切り込み線２ｋを包含するように下層ラベル２の表面２ａに貼り付けられている。つまり、上層ラベル３は、切り込み線２ｋを被覆するようにして下層ラベル２に貼り付けられる切り込み線被覆部３Ｋを有する。ここでは環状に形成される切り込み線２ｋに対し、これを被覆するよう同じく環状の切り込み線被覆部３Ｋが形成されている。この切り込み線被覆部３Ｋにより、切り込み線２ｋからの入光を防ぐことができる。なお、この切り込み線被覆部３Ｋは、上層ラベル３が剥離した後に再接着した際も、非接着部２Ｂの外縁外周側を覆う。このため、再接着の際に、下層ラベル２の非接着部２Ｂが元の位置からずれたとしても、そのずれにより形成される隙間から目視確認用の窓部（露出部）１５への光の侵入を防ぐことができる。
【００３４】
以上、本発明の第一実施例を説明したが、これはあくまでも例示にすぎず、本発明はこれに限定されるものではない。例えば上記第一実施例において一部の構成要件を省略する、さらには他の構成要件を追加する等、当業者の知識に基づく種々の変更が可能である。
【００３５】
以下、上記第一実施例とは異なる別の実施例や変形例について説明する。なお、上記第一実施例と共通の機能を有する部位には同一符号を付して詳細な説明を省略する。また、上記第一実施例と下記例とは、技術的な矛盾を生じない範囲において適宜組み合わせて実施できる。
【００３６】
本発明の第二実施例を、図１２〜図１５を用いて説明する。
【００３７】
第二実施例の医薬品容器用ラベル１では、上層ラベル３を下層ラベル２から剥離して形成される窓部１５が医薬品容器１００の周方向において連続しておらず、分断されて２つの窓部１５Ｆ、１５Ｂ（露出部）となっている点で第一実施例と異なる。
【００３８】
この分断部２Ｍは、下層ラベル２における接着部２Ａの一部である。下層ラベル２は、図１３に示すように、その接着部２Ａの両隣りに上述の手前側と奥側の窓部１５Ｆ、１５Ｂ（１５）を形成する非接着部２Ｂ、２Ｂを有する。この分断部２Ｍは、その表面に上層ラベル３の剥離を許容する所定の剥離許容処理（第一実施例の接着力低下処理及び接着抑制処理）がなされていないため、上層ラベル３の剥離の際には上層ラベル３と一体に剥離せず、医薬品容器１００（容器本体１０）に貼付されたまま残る。このため、分断部２Ｍは、剥離後においても視認可能な表示部として利用することができる。具体的にいえば、分断部２Ｍには、例えば図１３のような印字が施された表示をすることができる。他にも、医薬品容器１００の内容物の状態確認に関する表示、例えばどのような状態が異常であるか等を記述した表示等を施してもよい。なお、上層ラベル３は、図１５に示すように、下層ラベル２の分断部２Ｍに対応する部位が接着力低下処理の施された領域３Ｕとなっている点で、第一実施例と異なる。
【００３９】
本発明の第三実施例を、図１６〜図１８を用いて説明する。
【００４０】
第三実施例の医薬品容器用ラベル１は、図１６及び図１７に示すように、上層ラベル３と下層ラベル２とが、上層ラベル３の剥離方向において連続してひとつながりに形成されている。この上下層がひとつながりとなった医薬品容器用ラベル１は、図１８に示すように、上層ラベル３のつまみ部３Ｘ側とは逆に位置する下層ラベル２の端部から、医薬品容器１００（容器本体１０）の外周面１２ｒを取り巻くように貼付される。そして、下層ラベル２が外周面１２ｒに貼付された後、残された上層ラベル３がその下層ラベル２上に重なって貼付される。このように第三実施例の医薬品容器用ラベル１は、上層ラベル３と下層ラベル２とを一体に有した１つのラベルとして形成することができるから、製造工程を簡略化でき、製造コストを抑えることができる。なお、第三実施例の医薬品容器用ラベル１は、上層ラベル３と下層ラベル２とが一体につながっているため、第一実施例における強接着部１ＰＺ（上層ラベル３の領域３ｚ及び下層ラベル２の領域２ｚ）を省略することができ、上層ラベル３を短くすることも可能である。
【００４１】
なお、第二実施例及び第三実施例において、下層ラベル２上に上層ラベル３が貼付されてそれらが所定の剥離許容処理により剥離可能とされている点や、その剥離によって下層ラベル２の非接着部２Ｂが上層ラベル３と一体に剥離して医薬品容器１００に窓部１５が形成される点、また、剥離後の医薬品容器１００を所定位置から所定方向Ｉに側面視した際に、手前側に位置する容器外壁部の所定領域と、その所定領域の奥側に視認される容器外壁部の所定領域との双方に窓部１５（露出部）が存在するとして形成される点、下層ラベル２の切り込み線２ｋが上層ラベル３の切り込み線被覆部３Ｋに覆われている点等については、第一実施例と同様である。
【００４２】
本発明の第四実施例を、図１９〜図２５を用いて説明する。
【００４３】
第四実施例の医薬品容器用ラベル１は、図１９〜図２３に示すように、既に述べた実施例よりも上層ラベル３の上下方向の幅が広く形成されている。これにより、より多くの必要情報をラベル上に記載することができる。ここでの医薬品容器用ラベル１は、図２４及び図２５に示すように、医薬品容器１００（容器本体１０）の外周に接着されるとともに、首部１２Ｎ及びその周辺に対しても、その形に対応する形で接着されている。そして、図２５に示すように医薬品容器１００に窓部１５が形成された場合には、その窓部１５は、胴部１２において首部１２Ｎの下側に位置し、上方を臨むよう傾斜した肩部１２Mにも存在する。これにより、医薬品容器１００内容物を上方からも視認可能となる。
【符号の説明】
【００４４】
１  医薬品容器用ラベル
１０  容器本体
１５  窓部（露出部）
１００  医薬品容器
２  下層ラベル
２Ａ  接着部
２Ｂ  非接着部
２０  下層ラベルのラベル基材
２１  下層ラベルの接着層
３  上層ラベル
３０  上層ラベルのラベル基材
３１  上層ラベルの接着層
【図１】
2019220840.tif 000003
【図２】
2019220840.tif 000004
【図３】
2019220840.tif 000005
【図４】
2019220840.tif 000006
【図５】
2019220840.tif 000007
【図６】
2019220840.tif 000008
【図７】
2019220840.tif 000009
【図８】
2019220840.tif 000010
【図９】
2019220840.tif 000011
【図１０】
2019220840.tif 000012
【図１１】
2019220840.tif 000013
【図１２】
2019220840.tif 000014
【図１３】
2019220840.tif 000015
【図１４】
2019220840.tif 000016
【図１５】
2019220840.tif 000017
【図１６】
2019220840.tif 000018
【図１７】
2019220840.tif 000019
【図１８】
2019220840.tif 000020
【図１９】
2019220840.tif 000021
【図２０】
2019220840.tif 000022
【図２１】
2019220840.tif 000023
【図２２】
2019220840.tif 000024
【図２３】
2019220840.tif 000025
【図２４】
2019220840.tif 000026
【図２５】
2019220840.tif 000027
【国際調査報告】
2019220840.tif 000028
2019220840.tif 000029
2019220840.tif 000030
2019220840.tif 000031